(57)【特許請求の範囲】
【請求項１】
ワイヤハーネスを貫通させたグロメットにおけるワイヤハーネス貫通部のシール状態を検査するシール検査方法であって、
前記ワイヤハーネス貫通部の外周に対して貯水カップを液密に装着すると共に、前記グロメットを挟んで前記貯水カップの反対側に延びるワイヤハーネスのグロメット近傍に形成された電線露出部の周囲に対して加圧治具を気密に装着した後、
前記加圧治具に加圧空気を供給しながら、水が供給された前記貯水カップ内の水泡の有無により、シール状態を検査することを特徴とするグロメットのシール検査方法。
【請求項２】
ワイヤハーネスを貫通させたグロメットにおけるワイヤハーネス貫通部のシール状態を検査するシール検査装置であって、
前記ワイヤハーネス貫通部の外周に対して液密に装着される貯水カップと、前記グロメットを挟んで前記貯水カップの反対側に延びるワイヤハーネスのグロメット近傍に形成された電線露出部の周囲に対して気密に装着される加圧治具と、前記加圧治具に加圧空気の供給を行う給気手段とを備えて成ることを特徴とするグロメットのシール検査装置。
【請求項３】
前記貯水カップ及び前記加圧治具が、前記ワイヤハーネスの長手方向に沿って半割り可能な分割構造とされていることを特徴とする請求項２に記載のグロメットのシール検査装置。
【発明の詳細な説明】
【０００１】
【発明の属する技術分野】
本発明は、ワイヤハーネスを貫通させたグロメットにおけるワイヤハーネス貫通部のシール状態を検査するグロメットのシール検査方法及びシール検査装置に関するものである。
【０００２】
【従来の技術】
従来のグロメットのシール検査装置としては、例えば特開２０００−２４１２８８に開示されたシール検査装置がある。
このシール検査装置１は、図４に要部概略構成図を示したように、エアタンク２の上方に隔壁４を介して貯水タンク３が連設されている。前記隔壁４には、前記エアタンク２と前記貯水タンク３を連通させるように、前記貯水タンク３側からのグロメット１０の嵌合を可能とした取付孔５が形成される。
前記エアタンク２には、給排気パイプ６を介して加圧空気の供給と排出とを行う図示しない給排気手段が接続されている。前記貯水タンク３には、給排水パイプ８を介して水の供給と排出とを行う図示しない給排水手段が接続されている。
【０００３】
前記グロメット１０は、全体として略円錐形を成すゴム製であり、その円錐の頂部を上に向けた姿勢で、シール検査装置１にセットされる。前記グロメット１０の大径端側の外周面には、周方向の取付溝１３が形成されている。又、円錐の頂部となる位置には、貫通孔１１が形成されており、ワイヤハーネスＷ／Ｈが貫通されている。
【０００４】
そして、グロメット１０の貫通孔１１に貫通されるワイヤハーネスＷ／Ｈの部位は、シール液により各電線間の隙間が水密状態にシールされると共に、そのシール箇所にウレタンシート１２やテープＴが巻き付けられ、前記貫通孔１１が形成された筒状部分との間で止水処置が施されている。
【０００５】
そこで、前記シール検査装置１を用いて、前記グロメット１０におけるワイヤハーネス貫通部のシール状態を検査する場合には、先ず、グロメット１０の取付溝１３を取付孔５の周縁に水密状態に嵌合し、その円錐の頂部を上に向けた姿勢でセットする。
そして、図示しない給排気手段から給排気パイプ６を介してエアタンク２内に加圧空気が供給され、次に、図示しない給排水手段から給排水パイプ８を介して貯水タンク３内に水が供給される。
【０００６】
この状態で、貯水タンク３内を観察することにより、シール検査が行われる。もし、電線の隙間やワイヤハーネスＷ／Ｈとグロメット１０との隙間のシールが不十分であるときには、エアタンク２内の加圧空気がこれらのシール不良部分を通って貯水タンク３内の水中に漏れ出し、気泡となって浮上する。シールが正常であれば、気泡は発生しない。即ち、貯水タンク３内の気泡の有無によりシール性の良・不良を判断するものである。
【０００７】
【発明が解決しようとする課題】
しかしながら、前述した従来のグロメットのシール検査装置１は、前記貯水タンク３に対する給排水システムの制御、操作及び保守が複雑であり、かつ前記グロメット１０の交換や水の入れ換えに多くの時間を費やすと言う問題があった。
従って、本発明の目的は上記課題を解消することに係り、比較的コンパクトな構成で効率よくグロメットのシール性を検査することが可能なグロメットのシール検査方法及びシール検査装置を提供することである。
【０００８】
【課題を解決するための手段】
本発明の上記目的は、ワイヤハーネスを貫通させたグロメットにおけるワイヤハーネス貫通部のシール状態を検査するシール検査方法であって、
前記ワイヤハーネス貫通部の外周に対して貯水カップを液密に装着すると共に、前記グロメットを挟んで前記貯水カップの反対側に延びるワイヤハーネスのグロメット近傍に形成された電線露出部の周囲に対して加圧治具を気密に装着した後、
前記加圧治具に加圧空気を供給しながら、水が供給された前記貯水カップ内の水泡の有無により、シール状態を検査することを特徴とするグロメットのシール検査方法により達成される。
【０００９】
又、本発明の目的は、ワイヤハーネスを貫通させたグロメットにおけるワイヤハーネス貫通部のシール状態を検査するシール検査装置であって、
前記ワイヤハーネス貫通部の外周に対して液密に装着される貯水カップと、前記グロメットを挟んで前記貯水カップの反対側に延びるワイヤハーネスのグロメット近傍に形成された電線露出部の周囲に対して気密に装着される加圧治具と、前記加圧治具に加圧空気の供給を行う給気手段とを備えて成ることを特徴とするグロメットのシール検査装置により達成される。
【００１０】。
上記構成によれば、貯水カップに注水して使用される水量が、従来の貯水タンクを用いたシール検査装置に比べて極めて少なく、大掛りな給水手段が必要なくなると共に、ワイヤハーネスを貯水カップごと傾けるだけで排水することができ、作業性に優れる。
そこで、装置構成がコンパクトになると共に、短時間に効率よくグロメットのシール性を検査することができるので、ワイヤハーネスＷ／Ｈの製造工程でのタクトに合わせたシール検査が可能となる。
【００１１】
尚、好ましくは前記貯水カップ及び前記加圧治具が、前記ワイヤハーネスの長手方向に沿って半割り可能な分割構造とされることにより、グロメットにおけるワイヤハーネス貫通部やワイヤハーネスの電線露出部への着脱が容易となり、作業性が更に向上する。
【００１２】
【発明の実施の形態】
以下、添付図面に基づいて本発明の一実施態様におけるグロメットのシール検査方法及びシール検査装置を詳細に説明する。
図１は本発明の一実施態様におけるグロメットのシール検査装置を示す概略断面図、図２は図１に示した貯水カップの部分破断分解斜視図、図３は図１に示した加圧治具の展開斜視図である。
尚、ワイヤハーネスＷ／Ｈが貫通されたグロメットは、図４に示したグロメット１０と実質的に同様の構成であるので、同符号を付して詳細な説明を省略する。
【００１３】
本実施形態におけるグロメットのシール検査装置２１は、図１に示したように、グロメット１０におけるワイヤハーネス貫通部の外周１５に対して液密に装着される貯水カップ２２と、前記グロメット１０を挟んで前記貯水カップ２２の反対側（図１中、下方側）に延びるワイヤハーネスＷ／Ｈのグロメット近傍に形成された電線露出部２８の周囲に対して気密に装着される加圧治具２５と、該加圧治具２５に加圧空気の供給を行う給気手段（図示せず）とを備える。
【００１４】
前記貯水カップ２２は、図２に示したように、ワイヤハーネスＷ／Ｈの長手方向に沿って半割り可能な分割構造とされた分割体２２ａ，２２ｂとから成り、これら分割体２２ａ，２２ｂを一体化することで、水を貯水可能な円筒状空間２４が画成される。前記円筒状空間２４は、前記ワイヤハーネスＷ／Ｈの直径よりも若干大きな程度の内径とされることで、給水量を最小限とすることができる。
前記貯水カップ２２の底壁には、グロメット１０におけるワイヤハーネス貫通部を挿通可能な取付孔２３が形成され、前記分割体２２ａ，２２ｂを一体化することで、ワイヤハーネス貫通部の外周１５を挟持することができる。
【００１５】
前記分割体２２ａ，２２ｂの突き合わせ面及び取付孔２３の内面には、ゴムパッキン等のシール部材３１が配設されており、ワイヤハーネス貫通部の外周１５に対して液密に密着すると共に、これら分割体２２ａ，２２ｂの突き合わせ部を液密にシールすることができる。
そして、貯水カップ２２の分割体２２ａ，２２ｂは、図示しない係止ロック手段により一体化されて、グロメット１０におけるワイヤハーネス貫通部を保持する。
【００１６】
前記加圧治具２５は、図３に示したように、ワイヤハーネスＷ／Ｈの長手方向に沿って半割り可能な分割構造とされた円筒胴体２５ａと、該円筒胴体２５ａの外側面に設けられて内部に連通可能な空気取入口２５ｂとから成り、該円筒胴体２５ａは母線に沿って形成されたヒンジ部２６を介して展開可能とされている。そこで、前記円筒胴体２５ａは、前記ワイヤハーネスＷ／Ｈの電線露出部２８を把持することができる。前記空気取入口２５ｂには、エアホース２７を介して給気手段（図示せず）が加圧空気の供給を行う。
【００１７】
前記円筒胴体２５ａの内周面には、ゴムパッキン等のシール部材３２が配設されており、ワイヤハーネスＷ／Ｈの電線露出部２８の周囲に対して気密に密着することができる。
そして、円筒胴体２５ａが、図示しない係止ロック手段により閉じられた状態で前記ワイヤハーネスＷ／Ｈの電線露出部２８を保持すると、円筒胴体２５ａの上端部がグロメット１０に密着し、円筒胴体２５ａの下部内周面がワイヤハーネスＷ／Ｈのテープ巻面に密着するので、前記電線露出部２８の電線間は該円筒胴体２５ａにより周辺外気に対して密封される。
【００１８】
そこで、前記シール検査装置２１を用いて、前記グロメット１０におけるワイヤハーネス貫通部のシール状態を検査する場合には、先ず、グロメット１０のワイヤハーネス貫通部の外周１５に対して貯水カップ２２を液密に装着する。
そして、前記グロメット１０を挟んで前記貯水カップ２２の反対側に延びるワイヤハーネスＷ／Ｈのグロメット近傍に形成された電線露出部２８の周囲に対して加圧治具２８の円筒胴体２５ａを気密に装着する。
【００１９】
そして、前記貯水カップ２２の円筒状空間２４内に水を供給した後、前記加圧治具２５の空気取入口２５ｂには、エアホース２７を介して給気手段が加圧空気の供給を行う。
この状態で、貯水カップ２２内を観察することにより、シール検査が行われる。もし、電線の隙間やワイヤハーネスＷ／Ｈとグロメット１０との隙間のシールが不十分であるときには、前記加圧治具２５により電線露出部２８の電線間に供給された加圧空気がこれらのシール不良部分を通って貯水カップ２２内の水中に漏れ出し、気泡となって浮上する。シールが正常であれば、気泡は発生しない。即ち、貯水カップ２２内の気泡の有無によりシール性の良・不良を判断する。
【００２０】
即ち、本実施形態のシール検査装置２１によれば、貯水カップ２２に注水して使用される水量が、図４に示した従来の貯水タンク３を用いたシール検査装置１に比べて極めて少なく、大掛りな給水手段が必要なくなると共に、ワイヤハーネスＷ／Ｈを貯水カップ２２ごと傾けるだけで排水することができ、作業性に優れる。
【００２１】
そこで、装置構成が従来のシール検査装置１に比べて大幅にコンパクトになると共に、短時間に効率よくグロメット１０のシール性を検査することができるので、ワイヤハーネスＷ／Ｈの製造工程でのタクトに合わせたシール検査が可能となる。
尚、本発明のグロメットのシール検査方法及びシール検査装置は、上記実施形態の構成に限定されるものではなく、本発明の趣旨に基づいて種々の形態を採り得ることは言うまでもない。
【００２２】
【発明の効果】
以上、上述した本発明のグロメットのシール検査方法及びシール検査装置によれば、貯水カップに注水して使用される水量が、従来の貯水タンクを用いたシール検査装置に比べて極めて少なく、大掛りな給水手段が必要なくなると共に、ワイヤハーネスを貯水カップごと傾けるだけで排水することができ、作業性に優れる。
そこで、装置構成がコンパクトになると共に、短時間に効率よくグロメットのシール性を検査することができるので、ワイヤハーネスＷ／Ｈの製造工程でのタクトに合わせたシール検査が可能となる。
【図面の簡単な説明】
【図１】本発明の一実施態様におけるグロメットのシール検査装置を示す概略断面図である。
【図２】図１に示した貯水カップの部分破断分解斜視図である。
【図３】図１に示した加圧治具の展開斜視図である。
【図４】従来のグロメットのシール検査装置の要部概略構成図である。
【符号の説明】
１０    グロメット
１５    ワイヤハーネス貫通部の外周
２１    シール検査装置
２２    貯水カップ
２３    取付孔
２５    加圧治具
２８    電線露出部
３１，３２    シール部材
【図１】
0003886102.tif 000002
【図２】
0003886102.tif 000003
【図３】
0003886102.tif 000004
【図４】
0003886102.tif 000005